(57)【要約】【課題】  トランスポートストリーム内のＰＥＳパケットにＰＴＳ値が付加されておらず、Ｉピクチャの到来時刻と表示時刻とが一致しないトランスポートストリームにおいては、特殊再生時にＩピクチャの表示更新間隔が一定となるようにする。【解決手段】  トランスポートストリームの各パケットのうち、フレーム内符号化画像を含むパケットが格納されるアドレス、およびフレーム内符号化画像の相対的再生予定時刻を算出し、当該フレーム内符号化画像の再生予定時刻を示すアクセスタイムテーブル（４０）を作成し（９）、情報記録媒体（３０）に記録する。【選択図】        図１
2006245744.tif 000002
【特許請求の範囲】
【請求項１】
フレーム内符号化されたフレーム内符号化画像、およびフレーム間符号化されたフレーム間符号化画像を含むトランスポートストリームを受信し、情報記録媒体に記録する映像信号記録装置において、
前記トランスポートストリームの各パケットを前記情報記録媒体に保存するパケット保存手段と、
前記パケット保存手段により保存される前記パケットのうち、前記フレーム内符号化画像の各々を再生し表示すべき相対的時刻である再生予定時刻を算出する再生予定時刻算出手段と、
前記パケット保存手段により保存される前記パケットのうち、前記フレーム内符号化画像を含むパケットが保存される情報記録媒体内のアドレス、および前記再生予定時刻算出手段により求められた当該フレーム内符号化画像の再生予定時刻を、各フレーム内符号化画像を特定する情報に関連付けて記憶するアクセスタイムテーブルを作成するアクセスタイムテーブル作成手段と、
前記アクセスタイムテーブルを前記情報記録媒体に保存するアクセスタイムテーブル保存手段と
を備えたことを特徴とする映像信号記録装置。
【請求項２】
受信したトランスポートストリームの各パケットに、当該各パケットの到来時刻に対応するタイムスタンプを付加するタイムスタンプ付加手段を備えることを特徴する請求項１に記載の映像信号記録装置。
【請求項３】
前記アクセスタイムテーブルが、前記フレーム内符号化画像の到来時刻に対応するタイムスタンプを含むことを特徴する請求項１に記載の映像信号記録装置。
【請求項４】
前記再生予定時刻算出手段は、前記フレーム内符号化画像の各々のヘッダ情報に基いて当該フレーム内符号化画像の再生予定時刻を算出することを特徴とする請求項１に記載の映像信号記録装置。
【請求項５】
フレーム内符号化されたフレーム内符号化画像、およびフレーム間符号化されたフレーム間符号化画像を含むトランスポートストリームを記録する情報記録媒体において、
前記トランスポートストリームのパケットを格納するブロックと、
前記ブロックのうち、前記フレーム内符号化画像を含むパケットが保存される情報記録媒体内の記録アドレス、および当該フレーム内符号化画像の再生予定時刻を互いに関連付けて記憶したアクセスタイムテーブル情報を記録するブロックと
を有することを特徴とする情報記録媒体。
【請求項６】
前記アクセスタイムテーブル情報が、前記フレーム内符号化画像の到来時刻に対応するタイムスタンプを含むことを特徴する請求項５に記載の情報録媒体。
【請求項７】
請求項５又は６に記載の情報記録媒体から、フレーム内符号化されたフレーム内符号化画像、およびフレーム間符号化されたフレーム間符号化画像を含むトランスポートストリームを再生する映像信号再生装置において、
情報記録媒体に記録された、フレーム内符号化画像を含むパケットが格納されたアドレス、および当該フレーム内符号化画像の再生予定時刻を含むアクセスタイムテーブルを読出すアクセスタイムテーブル読出し手段と、
前記アクセスタイムテーブルを参照して前記フレーム内符号化画像を含むパケットを前記情報記録媒体から読出すパケット読出し手段と
を備えることを特徴とする映像信号再生装置。
【請求項８】
特殊再生時に、前記アクセスタイムテーブルの再生予定時刻を参照して再生を行わせる手段をさらに備えることを特徴とする請求項７に記載の映像信号再生装置。
【請求項９】
請求項６に記載の情報記録媒体から、フレーム内符号化されたフレーム内符号化画像、およびフレーム間符号化されたフレーム間符号化画像を含むトランスポートストリームを再生する映像信号再生装置において、
情報記録媒体に記録された、フレーム内符号化画像を含むパケットが格納されたアドレス、および当該フレーム内符号化画像の再生予定時刻を含むアクセスタイムテーブルを読出すアクセスタイムテーブル読出し手段と、
前記アクセスタイムテーブルを参照して前記フレーム内符号化画像を含むパケットを前記情報記録媒体から読出すパケット読出し手段と、
通常再生を開始するときは、前記パケット読み出し手段で読み出されたパケットのタイムスタンプをカウンタの初期値としてカウントを行い、
特殊再生を開始するときは、前記アクセスタイムテーブル読出し手段で読み出された再生予定時刻を初期値としてカウントを行うカウント値生成手段と、
通常再生から特殊再生に切替るときは、前記カウント値生成手段のカウント値に最も近いタイムスタンプを有するフレーム内符号化画像を、最初に再生すべき画像として選択し、その後、当該フレーム内符号化画像の再生予定時刻を初期値として前記カウント値生成手段に設定し、
特殊再生から通常再生に切替るときは、前記カウント値生成手段のカウント値に最も近い再生予定時刻を有するフレーム内符号化画像を、最初に再生すべき画像として選択し、その後、当該フレーム内符号化画像のタイムスタンプを初期値として前記カウント値生成手段に設定する制御手段と
を備えることを特徴とする映像信号再生装置。
【請求項１０】
前記カウント値生成手段は、特殊再生時には、特殊再生の速さに応じた速さでカウントを行うことを特徴とする請求項９に記載の映像信号再生装置。
【発明の詳細な説明】
【技術分野】
【０００１】
この発明は、ディジタル放送を受信し、受信したディジタル映像信号をハードディスク等の情報記録媒体に記録する映像信号記録装置、該記録に用いられる情報記録媒体、並びに該情報記録に記録されたディジタル映像信号を読出して再生する映像信号記録再生装置に関する。
【背景技術】
【０００２】
ディジタル放送においては、映像データは一般的にＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）２に準拠した符号化方式により圧縮される。ＭＰＥＧ２方式により符号化された映像および音声信号は、エレメンタリーストリームと呼ばれ、ＰＥＳ（Ｐａｃｋｅｔｉｚｅｄ  Ｅｌｅｍｅｎｔａｒｙ  Ｓｔｒｅａｍ）パケットというデータ構造の中に組み込まれる。ＢＳディジタル放送や地上ディジタル放送では、複数のＰＥＳパケットを結合したものを１８８バイト固定長のパケット（ＴＳパケット）に分割し、単一のビット列としたトランスポートストリーム（ＴＳ）を用いて映像および音声データを送信している。
【０００３】
ＭＰＥＧ２方式により符号化された画像データは、前後の画像データを基につくられているため、一般に１つの画像データだけでは完結せず画像信号を復号化できない。このため、ＧＯＰ（Ｇｒｏｕｐ  ｏｆ  Ｐｉｃｔｕｒｅｓ）構造が採用されている。このＧＯＰ構造とは、映像データの複数のピクチャ（ｐｉｃｔｕｒｅ：画像）をグループ化したアクセス単位である。ＧＯＰは、Ｉピクチャ（イントラ（フレーム内）符号化画像）、Ｐピクチャ（前方予測（フレーム間）符号化画像）およびＢピクチャ（双方向予測（フレーム間）符号化画像）の３タイプのピクチャで構成される。ここで、Ｉピクチャは他のタイプのピクチャデータとは独立して復号が可能な画像情報であり、ＰまたはＢピクチャは前後のピクチャとの差分情報を利用して復号できる画像情報である。
【０００４】
一般的に、ＭＰＥＧ２方式で符号化された画像データをハードディスク等の情報記録媒体に記録し、再生する映像信号記録再生装置では、早送りや早戻し等の特殊再生においては、ピクチャ内データのみで復号化可能なＩピクチャのみを再生することにより、特殊再生を実現できる。しかし、ＭＰＥＧ２方式において、各Ｉ、Ｐ、Ｂピクチャの符号化データは可変長であるため、Ｉピクチャは一定長毎に現われるわけではない。
【０００５】
このため、トランスポート中の映像と音声のＰＥＳパケットを分離し、映像ＰＥＳパケットのヘッダから、映像データ中のＩピクチャの先頭アドレス、およびＰＴＳ（Ｐｒｅｓｅｎｔａｔｉｏｎ  Ｔｉｍｅ  Ｓｔａｍｐ）を抽出し、Ｉピクチャの位置情報（アドレス）およびＰＴＳ情報より次に再生するＩピクチャのアドレス情報を検索することにより、早送りや早戻し等の特殊再生を行うことができる。しかし、放送で送られてくるトランスポートストリームのＰＥＳパケットにはＰＴＳ値が付加されていない場合がある。
【０００６】
このため、トランスポートストリームの各ＴＳパケットに、到来時刻に対応するタイムスタンプを付加し、Ｉピクチャを含むＴＳパケットのアドレス情報および該Ｉピクチャを含むＴＳパケットに付加されたタイムスタンプの値を示すアクセスユニットテーブルを作成し、特殊再生時にはこのアクセスユニットテーブルにより次に再生するＩピクチャのアドレス情報を検索することにより、早送りや早戻し等の特殊再生を行っている（例えば、特許文献１参照）。
【０００７】
【特許文献１】特開２００３−３３９０１９号公報
【発明の開示】
【発明が解決しようとする課題】
【０００８】
従来の映像信号記録再生装置では、特殊再生時に再生予定時刻を示す特殊再生予定時刻カウンタを特殊再生の設定された速度（ｎ倍）で動作させ、特殊再生予定時刻カウンタの値とアクセスユニットテーブル中の到来時刻タイムスタンプを比較して、最も近いタイムスタンプ値を持つＩピクチャを次に再生するＩピクチャとし、このＩピクチャのアドレスを検索し、このＩピクチャをハードディスク等の情報記録媒体から読出すことで早送りや早戻し等の特殊再生を行っているので、トランスポートストリーム内のＰＥＳパケットにＰＴＳ値が付加されておらず、Ｉピクチャの到来時刻と表示時刻とが一致しないトランスポートストリーム
においては、Ｉピクチャの到来時刻の間隔が一定ではなく、特殊再生時にＩピクチャの更新が表示時間間隔で行われないという問題があった。
【０００９】
この発明は、上述のような課題を解消するためになされたもので、トランスポートストリーム内のＰＥＳパケットにＰＴＳ値が付加されておらず、Ｉピクチャの到来時刻と表示時刻とが一致しないトランスポートストリームであっても、特殊再生時にＩピクチャの表示更新間隔が一定となる映像記録装置を提供する目的とする。
【課題を解決するための手段】
【００１０】
この発明は、
フレーム内符号化されたフレーム内符号化画像、およびフレーム間符号化されたフレーム間符号化画像を含むトランスポートストリームを受信し、情報記録媒体に記録する映像信号記録装置において、
前記トランスポートストリームの各パケットを前記情報記録媒体に保存するパケット保存手段と、
前記パケット保存手段により保存される前記パケットのうち、前記フレーム内符号化画像の各々を再生し表示すべき相対的時刻である再生予定時刻を算出する再生予定時刻算出手段と、
前記パケット保存手段により保存される前記パケットのうち、前記フレーム内符号化画像を含むパケットが保存される情報記録媒体内のアドレス、および前記再生予定時刻算出手段により求められた当該フレーム内符号化画像の再生予定時刻を、各フレーム内符号化画像を特定する情報に関連付けて記憶するアクセスタイムテーブルを作成するアクセスタイムテーブル作成手段と、
前記アクセスタイムテーブルを前記情報記録媒体に保存するアクセスタイムテーブル保存手段と
を備えたことを特徴とする映像信号記録装置を提供する。
【発明の効果】
【００１１】
この発明によれば、トランスポートストリームの各パケットのうち、フレーム内符号化画像を含むパケットが格納されるアドレス、およびフレーム内符号化画像の再生予定時刻を算出し、当該フレーム内符号化画像の再生予定時刻を示すアクセスタイムテーブルを作成して情報記録媒体に記録するので、特殊再生の際、アクセスタイムテーブルを参照することにより、トランスポートストリーム内のＰＥＳパケットにＰＴＳ値が付加されておらず、フレーム内符号化画像の到来時刻と表示時刻とが一致しないトランスポートストリームにおいても、順次再生されるフレーム内符号化画像の表示更新間隔を一定とすることができる。
【発明を実施するための最良の形態】
【００１２】
以下図面を参照して本発明の実施の形態につき説明する。
実施の形態１．
図１はこの発明の実施の形態１の映像信号記録再生装置を示すブロック図である。本実施の形態１の映像信号記録再生装置は、
外部から入力されたＭＰＥＧ２トランスポートストリーム１（フレーム内符号化されたフレーム内符号化画像（Ｉピクチャ）、およびフレーム間符号化されたフレーム間符号化画像（Ｐ、Ｂピクチャ）を含む）のＴＳパケットをハードディスク等の情報記録媒体３０に記録し、記録されたＭＰＥＧ２トランスポートストリームを再生して、外部のデコーダ装置に出力するストリーム記録再生装置であり、情報記録媒体３０にＴＳパケットの記録を行う映像信号記録装置３１と、情報記録媒体３０に保存したＴＳパケットの再生を行う映像信号再生装置３２とを含む。
【００１３】
映像信号記録装置３１は、タイムスタンプ付加手段２と、基準クロック生成手段３と、タイムスタンプ生成手段４と、ＴＳパケット保存手段５と、映像パケット検出手段６と、Ｉピクチャ検出手段７と、タイムスタンプ抽出手段８と、再生予定時刻算出手段９と、アクセスタイムテーブル作成手段１０と、アクセスタイムテーブル保存手段１１とを有する。
【００１４】
タイムスタンプ付加手段２は入力トランスポートストリーム１の各ＴＳパケットに当該各パケットの到来時刻に対応するタイムスタンプを付加する。基準クロック生成手段３は、記録および再生の基準クロックを生成する。タイムスタンプ生成手段４は、記録の基準となるタイムスタンプを生成する。ＴＳパケット保存手段５は、タイムスタンプを付加されたＴＳパケットを格納するメモリを内蔵するとともに、該メモリに格納されたＴＳパケットを情報記録媒体３０に書込んで保存する。
映像パケット検出手段６は、タイムスタンプを付加されたＴＳパケットから映像パケットを検出する。
【００１５】
Ｉピクチャ検出手段７は、映像パケット検出手段６で検出された映像パケットからＩピクチャを検出する。
タイムスタンプ抽出手段８は、Ｉピクチャ検出手段７で検出されたＩピクチャを含むパケットに付加されたタイムスタンプを抽出する。
【００１６】
再生予定時刻算出手段９は、Ｉピクチャ検出手段７で検出されたＩピクチャの再生予定時刻を算出する。このＩピクチャの再生予定時刻とは、例えば一連の映像情報（例えば連続して記録された映像情報）の再生開始の時点を基準として、Ｉピクチャを再生し、表示すべき相対的時刻を意味する。
【００１７】
アクセスタイムテーブル作成手段１０は、パケット保存手段５により情報記録媒体３０に保存されたＩピクチャのアドレス（情報記録媒体３０内のアドレス）と、算出されたＩピクチャの再生予定時刻を含むアクセスタイムテーブルを作成する。このアクセスタイムテーブルは、パケット保存手段５により情報記録媒体３０に保存（格納）されるパケットのうち、Ｉピクチャを含むパケットが格納される情報記録媒体３０内のアドレス（開始アドレス及び終了アドレス）、並びに再生予定時刻算出手段９により求められた当該Ｉピクチャの再生予定時刻を、各Ｉピクチャを特定する情報に関連付けて記憶するアクセスタイムテーブルを作成する。
【００１８】
アクセスタイムテーブル保存手段１１は、アクセスタイムテーブルを格納するメモリを内蔵するとともに、該メモリに格納されたアクセスタイムテーブルを情報記録媒体３０に書込んで保存する。
【００１９】
このように、ＴＳパケット保存手段５が、パケット保存手段５内のメモリから読出し、情報記録媒体３０に書込む。このとき、Ｉピクチャを含むパケットの情報記録媒体３０への書き込みに対応して、アクセスタイムテーブル保存手段１１が、内部メモリに保存された該当Ｉピクチャに対応したアクセスタイムテーブルを情報記録媒体３０に書込む。
なお、アクセスタイムテーブル保存手段１１とＴＳパケット保存手段５とは共通の部分を有し、アクセスタイムテーブル保存手段１１による情報記録媒体への書き込みと、ＴＳパケット保存手段５による情報記録媒体３０への書き込みは、共通の部分を用いて行われるが、その点の詳細は省略する。
【００２０】
情報記録媒体３０は、パケット記憶ブロック１２と、テーブル記憶ブロック１３とを含む。
パケット記憶ブロック１２は、ＴＳパケットを保存する。
テーブル記憶ブロック１３は、アクセスタイムテーブルを保存する。
アクセスタイムテーブルは、Ｉピクチャを含むパケットが格納される情報記録媒体３０上の記録アドレス、当該Ｉピクチャの再生予定時刻、当該Ｉピクチャの到来時刻（情報記録媒体への記録に用いられた映像信号記録装置への到来時刻）に対応するタイムスタンプなどを、各Ｉピクチャの番号に関連付けて記憶したものである。
【００２１】
映像信号再生装置３２は、アクセスタイムテーブル読出し手段１４と、ナビゲーション制御手段１５と、ユーザインターフェース制御手段１６と、ＴＳパケット読出し手段１７と、ＴＳパケットバッファ１８と、タイムスタンプ除去手段１９と、比較カウント値生成手段２０とを有する。
【００２２】
アクセスタイムテーブル読出し手段１４は、情報記録媒体からアクセスタイムテーブルを読出す。
ナビゲーション制御手段１５は、アクセスタイムテーブル読出し手段１４で抽出されたアクセスタイムテーブル基に再生を制御する。
【００２３】
ユーザインターフェース制御手段１６は、ユーザの操作を受け付ける。
ＴＳパケット読出し手段１７は、情報記録媒体３０からＴＳパケットを読出す。
ＴＳパケットバッファ１８は、ＴＳパケット読出し手段１７で抽出されたＴＳパケットを一時蓄積する。
【００２４】
タイムスタンプ除去手段１９は、ＴＳパケットバッファに蓄積されたＴＳパケットからタイムスタンプを除去し、出力トランスポートストリーム２１を出力する。
比較カウント値生成手段２０は、再生タイミングを決定するためのものである。
なお、アクセスタイムテーブル読出し手段１４とＴＳパケット読み出し手段１７とは共通の部分を有し、アクセスタイムテーブル読出し手段１４による情報による情報記録媒体からの読み出しと、ＴＳパケット読み出し手段１７による情報記録媒体３０からの読み出しは、上記共通の部分を用いて行われるが、その点の詳細は省略する。
【００２５】
以上のように構成された図１の映像信号記録再生装置の動作について説明する。
はじめに、映像信号記録装置３１の記録動作について説明する。
タイムスタンプ生成手段４では、基準クロック生成手段３からの基準クロックを使用してタイムスタンプが生成され、タイムスタンプ付加手段２に供給される。
入力トランスポートストリーム１は、タイムスタンプ付加手段２に入力され、入力トランスポートストリーム１の各ＴＳパケットに、到来時刻を示すタイムスタンプが付加され、ＴＳパケット保存手段５および映像パケット検出手段６に供給される。
【００２６】
タイムスタンプ付加手段２から出力されたタイムスタンプ付きＴＳパケットは、ＴＳパケット保存手段５により、情報記録媒体３０内のパケット記憶ブロック１２に記録される。
【００２７】
タイムスタンプ付加手段２から出力されるタイムスタンプ付きＴＳパケットはまた、映像検出手段６に供給され、映像パケット検出手段６では、タイムスタンプ付きＴＳパケットのＰＩＤ（Ｐａｃｋｅｔ  ＩＤ）情報などから映像ＰＥＳパケットを含んだＴＳパケットが抽出され、Ｉピクチャ検出手段７に出力される。
【００２８】
Ｉピクチャ検出手段７では、映像パケット検出手段６から出力されるＴＳパケットから、Ｉピクチャの開始データおよび終了データを含むＴＳパケットが検出され、このようにして検出されたＩピクチャの開始データ及び終了データを含むＴＳパケットが、タイスタンプ抽出手段８、再生予定時刻算出手段９、およびアクセスタイムテーブル作成手段１０に供給される。
【００２９】
タイムスタンプ抽出手段８では、Ｉピクチャ検出手段７で検出されたＩピクチャの開始データを含むＴＳパケットに付加されたタイムスタンプ値が抽出され、アクセスタイムテーブル作成手段１０に供給される。
【００３０】
一方、再生予定時刻算出手段９では、Ｉピクチャ検出手段７で検出されたＩピクチャデータからＩピクチャを再生するために必要なヘッダ情報などが抽出され、このヘッダ情報を基に当該Ｉピクチャの再生予定時刻が算出され、アクセスタイムテーブル作成手段１０に供給される。
ヘッダ情報には、フレームレート、当該Ｉピクチャがテレシネ変換されたものであるかどうか、テレシネ変換されたものである場合には、当該Ｉピクチャがトップフィールドに対応イするものかボトムフィールドに対応するものか、などが含まれる。
【００３１】
アクセスタイムテーブル作成手段１０では、タイムスタンプ抽出手段８、再生予定時刻算出手段９、およびＩピクチャ検出手段７から出力される情報によりアクセスタイムテーブルが生成され、生成されたアクセスタイムテーブルはアクセスタイムテーブル保存手段１１に供給され、さらにアクセスタイムテーブル保存手段１１により、情報記録媒体３０内のテーブル記憶ブロック１３に書込まれる。
【００３２】
図２は、アクセスタイムテーブルの構成の一例を示す図である。図２に示すように、アクセスタイムテーブル４０は、格納したＩピクチャを特定する情報、例えばＩピクチャの番号を示すインデックス値、当該Ｉピクチャの開始データを含むＴＳパケット到来時刻を示すタイムスタンプ値、当該Ｉピクチャの再生タイミングを示す再生予定時刻、当該Ｉピクチャの開始データおよび終了データを含むＴＳパケットのパケット記憶ブロック１２内でのアドレス値を互いに関連付けて記憶する。
【００３３】
トランスポートストリームの記録が開始されると、ＴＳパケットの記録が開始され、Ｉピクチャ検出手段７により第１のＩピクチャの開始データを含んだＴＳパケットが検出され、タイムスタンプ抽出手段８は、このＩピクチャの開始データを含んだＴＳパケットのタイムスタンプ値をアクセスタイムテーブル作成手段１０に出力する。アクセスタイムテーブル作成手段１０は、アクセスタイムテーブルの最初の（第１の）Ｉピクチャのタイムスタンプの欄（ＴＳ１）に、タイムスタンプ抽出手段８の出力値を格納する。
【００３４】
一方、再生予定時刻算出手段９は、上記のＩピクチャの開始データを含むＴＳパケットからこのＩピクチャを再生するのに必要なヘッダ情報を抽出し、このヘッダ情報に含まれるフレームレートやピクチャリピート情報などより一連の映像情報の再生開始の時点を基準とした当該Ｉピクチャの再生、表示タイミング（再生予定時刻）を算出し、アクセスタイムテーブル作成手段１０に出力する。アクセスタイムテーブル作成手段１０は、アクセスタイムテーブルの第１のＩピクチャの再生予定時刻の欄（ＰＴ１）に、再生予定時刻算出手段９からの情報を格納する。
【００３５】
さらに、上記のＩピクチャの開始データを含むＴＳパケットがＴＳパケット保存手段５によりパケット記憶ブロック１２に保存されると、アクセスタイムテーブル作成手段１０は、保存したアドレス情報をＴＳパケット保存手段５により取得し、アクセスタイムテーブルの第１のＩピクチャの開始アドレスの欄（ＢＡＤＤ１）に格納する。そして、上記のＩピクチャの終了データを含むＴＳパケットがＴＳパケット保存手段５によりパケット記憶ブロック１２に保存されると、アクセスタイムテーブル作成手段１０は、保存したアドレス情報をＴＳパケット保存手段５により取得し、アクセスタイムテーブルの第１のＩピクチャの終了ドレスの欄（ＥＡＤＤ１）に格納する。同様に第２、第３のＩピクチャの情報もアクセスタイムテーブルに格納する。これらの動作を記録終了まで繰り返すことによりアクセスタイムテーブルを作成する。
【００３６】
次に、情報記録媒体３０の記録されるデータのデータ構成について図３を参照して説明する。図３（ａ）は、情報記録媒体３０上の物理的構成を表した図であり、図３（ｂ）は情報記憶媒体３０のデータ領域の構成を示した図であり、図３（ｃ）は本情報記録媒体についてファイルシステムを通して見える情報記録媒体３０のデータ構造の一例を示す図である。
【００３７】
図３（ａ）に示すように情報記憶媒体３０の外周部分にはリードイン領域５１があり、情報記憶媒体３０への記録や読出しを安定させるために必要な基準信号や識別信号が記録されている。リードイン領域５１に続いてデータ領域５２が設けられている。このデータ領域５２に論理的に有効なデータが記録される。最内周にリードアウト領域５３がありリードイン領域５１と同様な基準信号が記録されている。
【００３８】
図３（ｂ）に示すようにデータ領域５２には、受信した映像信号を記録する第１の記憶領域５４が外周側に設けられており、映像信号のトランスポートストリーム（以下映像ストリーム）のパケットは第１の記憶領域５４に記録される。一方、第１の記憶領域５４に記録された映像ストリームを再生するために必要な情報は第１の記録領域５４とは異なる第２の記憶領域５５が内周側に設けられ、第２の記憶領域５５に第１の記憶領域５４に記録された映像ストリームの時刻情報や記録位置情報からなるアクセスタイムテーブル４０など管理情報が記憶される。すなわち、第２の記憶領域５５は、情報記憶媒体３０に記憶された映像ストリームデータによるファイルを管理する管理用情報記憶領域である。
【００３９】
情報記憶媒体３０に記録された映像ストリームを再生する時には、アクセスタイムテーブル読出し手段１４が、第２の記憶領域に記録されたファイル管理情報を取得し（すべてのファイル管理情報を取得しても良く、再生するストリームに関するファイル管理情報のみを取得しても良い）、取出されたファイル管理情報から映像ストリームパケットの再生予定時刻と該パケットの情報記録媒体３０上の位置情報（アドレス）を取得し、ＴＳパケット読出し手段１７が、第１の記憶領域から対応する映像ストリームパケットを読出す。一般的に映像ストリームの管理情報のデータ量は、映像ストリームのデータ量に比べ十分小さいため、映像ストリームの管理情報を映像ストリームと異なった記憶領域にまとめて記録している。前述のように映像ストリームの管理情報を映像ストリームと異なった記憶領域に記録しているので、情報記録媒体３０に複数の映像ストリームが記録されている場合でも、記録された全ての映像ストリームの管理情報へのアクセスを高速に行うことができる。
【００４０】
第２の記憶領域５５には、映像ストリームの管理情報に加えて、情報記憶媒体３０のボリューム情報などの管理情報がファイルシステム用管理情報として記録される。図３（ｃ）に示すようにファイルシステムを介して情報記録媒体３０内のデータをディレクトリやファイルとして扱うことが可能となる。図３（ｃ）に示す例では、ファイルシステム管理情報ファイルは「ＳＹＳ．ＩＮＦＯ」であり、「ＭＡＲＫ．ＬＩＮＫ」ファイルには、マーキング情報が格納されている。また、映像ストリームデータは、「ＳＴＲＥＡＭ」ディレクトリ下の０００１．ｓｔｒｍ〜０００３．ｓｔｒｍファイルに格納される。また、映像ストリームデータに関する管理情報は「ＳＴＲＥＡＭ＿ＩＮＦＯ」ディレクトリ下の０００１．ｉｎｆｏ〜０００３．ｉｎｆｏに格納されている。映像ストリームの管理情報は、映像ストリームを再生するために映像ストリームデータのデータ列と時間軸との間の変換を行うための画像の映像ストリームデータファイル上でのアドレス情報や画像毎の再生予定時刻情報などのアクセスタイムテーブル４０を含んでいる。情報記録媒体３０には、複数の映像ストリームデータファイルが記録されているため、時間領域とアドレス領域とを対応づけるアクセスタイムテーブル情報を有する映像ストリームの管理情報ファイルは、映像ストリームデータファイル毎に存在する。
これらのファイルが「ＡＶ＿ＲＯＯＴ」ディレクトリ下に設けられ、「ＡＶ＿ＲＯＯＴ」ディレクトリ自体は、「ＲＯＯＴ」ディレクトリ下に設けられている。
【００４１】
次に映像信号再生装置３２の動作について説明する。はじめに、通常再生時の動作について説明する。ユーザインターフェース制御手段１６は、ユーザから通常再生の指示を受け、ナビゲーション制御手段１５に通常再生命令を出力する。ナビゲーション制御手段１５は通常再生命令を受けて、ＴＳパケット読出し手段１７を制御してパケット記憶ブロック１２に保存されているタイムスタンプ付きＴＳパケットの読出しを行わせ、読出されたＴＳパケットをＴＳパケットバッファ１８に出力し、一時記憶させる。
【００４２】
比較カウント値生成手段２０は、ＴＳパケット読み出し手段１７で読み出されたＴＳパケットの先頭のタイムスタンプをカウンタの初期値として、記録時と同様に基準クロック再生手段３が生成する基準クロックを基に比較カウント値を生成する。比較カウント値生成手段２０は、ユーザの早送り再生または早戻し再生で指示された速度でカウントを行うように設定される。例えば、ｎ倍早送り再生の場合には、比較カウント値生成手段２０は通常再生のｎ倍の速度でカウントアップされる。
【００４３】
タイムスタンプ除去手段１９は、ＴＳパケットバッファ１８に一時記憶されたタイムスタンプ付きＴＳパケットのタイムスタンプ値が比較カウント値生成手段２０の生成した値と一致したときに、タイムスタンプを除去して出力トランスポートストリーム２１として出力する。
このような動作を繰り返すことにより、各ＴＳパケットの出力間隔（表示間隔）を、記録時のパケットの到来間隔に一致させることができる。
【００４４】
次に特殊再生時の動作について説明する。通常再生動作中にユーザから早送り再生または早戻し再生の指示がなされると、ユーザインターフェース制御手段１６は、ユーザから特殊再生の指示を受け、ナビゲーション制御手段１５に特殊再生命令を出力する。ナビゲーション制御手段１５は特殊再生命令を受けて、アクセスタイムテーブル読出し手段１４を制御し、テーブル記憶ブロック１３に保存されているアクセスタイムテーブル４０の読出しを行わせる。また、ナビゲーション制御手段１５は、比較カウント値生成手段２０から現在の比較カウント値を取得する。
【００４５】
ナビゲーション制御手段１５は、アクセスタイムテーブル４０中のタイムスタンプの欄を検索し、現在の比較カウント値に最も近いタイムスタンプ値を有するＩピクチャのインデックスを選択し、選択されたＩピクチャの再生予定時刻値、開始アドレス情報、終了アドレス情報を抽出する。そして、ナビゲーション制御手段１５は、この抽出された再生予定時刻値を比較カウント値生成手段２０に、新たな比較カウント値として（初期値として）設定する。
【００４６】
比較カウント値生成手段２０は、上記のようにユーザの早送り再生または早戻し再生で指示された速度でカウントを行うように設定される。例えば、ｎ倍早送り再生の場合には、比較カウント値生成手段２０は通常再生のｎ倍の速度でカウントアップされるが、上記のように、ナビゲーション制御手段１５で再生予定時刻値が抽出されると、この抽出された再生予定時刻値で、比較カウント値が置きかえられ（更新され）、この置きかえられた値（更新された値）からカウントアップが続けられる。
【００４７】
さらに、ナビゲーション制御手段１５は、抽出したアドレス情報に基づいてＴＳパケット読出し手段１７を制御して、現在のカウント値に最も近いタイムスタンプ値を有する開始データを含むＴＳパケット群をパケット記憶ブロック１２から読出してＴＳパケットバッファ１８に出力する。ＴＳパケットバッファ１８に一時蓄積されたタイムスタンプ付きＴＳパケットは、通常再生時とは異なり、比較カウント値生成手段２０で生成したカウント値と比較することなく、タイムスタンプ除去手段１９でタイムスタンプを除去して出力トランスポートストリーム２１として出力される。
【００４８】
ＴＳパケットバッファ１７に一時蓄積されたＴＳパケット群がタイムスタンプ除去手段１９で全て出力されたことを検出すると、ナビゲーション制御手段１５は、次に再生するべきＩピクチャのインデックスを選択する。すなわち、現在の比較カウント値生成手段２０のカウント値を取得し、アクセスタイムテーブル４０から取得した、カウント値に最も近い再生予定時刻値を有するＩピクチャのインデックスを選択する。ナビゲーション制御手段１５は、選択されたインデックス値を有するＩピクチャの開始アドレス情報、および終了アドレス情報を抽出する。抽出したＩピクチャの開始アドレス情報および終了アドレス情報に基づいてＴＳパケット読出し手段１７を制御して、パケット記憶ブロック１２から当該Ｉピクチャのパケット群を読出し、ＴＳパケットバッファ１８に出力する。タイムスタンプ除去手段１９は、ＴＳパケットバッファ１８に蓄積されたタイムスタンプ付きＴＳパケットのタイムスタンプを除去し、出力トランスポートストリーム２１として出力する。以降、同様の動作を繰り返すことにより特殊再生動作を実現する。
【００４９】
また、ユーザにより通常再生の指示がなされると、ナビゲーション制御手段１５は、比較カウント値生成手段１９から現在の比較カウント値を取得する。ナビゲーション制御手段１５は、アクセスタイムテーブル４０中の再生予定時刻の欄を検索し、現在の比較カウント値に最も近い再生予定時刻値を有するＩピクチャのインデックスを選択し、選択されたＩピクチャのタイムスタンプ値、開始アドレス情報、終了アドレス情報を抽出する。
【００５０】
ナビゲーション制御手段１５はさらに、抽出されたタイムスタンプ値を比較カウント値生成手段２０のカウント値に（新たな初期値として）設定する。また、比較カウント値生成手段２０で生成されるカウントは、通常の速度で動作するように設定される。
【００５１】
ナビゲーション制御手段１５は、抽出したアドレス情報に基づいてＴＳパケット読出し手段１７を制御してパケット記憶ブロック１２に保存されているタイムスタンプ付きＴＳパケットを読出しＴＳパケットバッファ１８に出力する。タイムスタンプ除去手段１９は、ＴＳパケットバッファ１８に一時蓄積されたタイムスタンプ付きＴＳパケットのタイムスタンプ値が比較カウント値生成手段２０で生成した値と一致したときに、タイムスタンプを除去して出力トランスポートストリーム２１として出力する。以降、ＴＳパケットバッファ１８がアンダーフローすることなくデータ量に応じて、ＴＳパケット読出し手段１７を制御してパケット記憶ブロック１２に保存されているタイムスタンプ付きＴＳパケットを読出しＴＳパケットバッファ１８に出力する。これらの動作を繰り返すことで、通常再生を実現する。
【００５２】
以上のように、本実施の形態の記録再生装置は、記録装置の部分、再生装置の部分にそれぞれ特徴を有し、記録機能のみを持つ記録装置、再生機能のみを備えた再生装置にも本発明を適用することができる。
【図面の簡単な説明】
【００５３】
【図１】この発明の実施の形態１を示すブロック図である。
【図２】この発明の実施の形態１を説明する図である。
【図３】この発明の実施の形態１を説明する図である。
【符号の説明】
【００５４】
１  入力トランスポートストリーム、  ２  タイムスタンプ付加手段、  ３  基準クロック生成手段、  ４  タイムスタンプ生成手段、  ５  ＴＳパケット保存手段、  ６  映像パケット検出手段、  ７  Ｉピクチャ検出手段、  ８  タイムスタンプ抽出手段、  ９  再生予定時刻算出手段、  １０  アクセスタイムテーブル作成手段、  １１  アクセスタイムテーブル保存手段、  １２  パケット記憶ブロック、  １３  テーブル記憶ブロック、  １４  アクセスタイムテーブル読出し手段、  １５  ナビゲーション制御手段、  １６  ユーザインターフェース制御手段、  １７  ＴＳパケット読出し手段、  １８  ＴＳパケットバッファ、  １９  タイムスタンプ除去手段、  ２０  比較カウント値生成手段、  ２１  出力トランスポートストリーム、  ３０  情報記録媒体、  ３１  映像信号記録装置、  ３２  映像信号再生装置、  ４０  アクセスタイムテーブル、  ５１  リードイン領域、  ５２  データ領域、  ５３  リードアウト領域、  ５４  第１の記憶領域、  ５５  第２の記憶領域。
【図１】
2006245744.tif 000003
【図２】
2006245744.tif 000004
【図３】
2006245744.tif 000005